(57)【要約】【課題】  生コンクリートを床下地に打設し、平滑、水平な床表層部を形成するにあたり、予め載置された複数個の「あたり」と定規及び水準器を使用して生コンクリートの打設、均し面の位置を決めて均す場合は品質の安定性がをなく、又「あたり」は使用せず、均し具摺動用直線レールを支柱で所定の態様に保持する方法をとる場合の支柱は、該レールに設けられた支柱用穿孔の位置に合わせてしか使用できなかった従来法に代わる平滑性、水平度、作業性等に優れた手段を提供すること。【解決手段】均し具摺動用直角四辺形状枠体を「あたり」に載置し、枠体に設けた水平なリブ状の平板片を「あたり」に広面積で当接させることによる、又は支柱にて均し具摺動用直角四辺形状枠体を保持する際、該平板片の把持位置を自由に変えることができる板状補助具を支柱に取り付けて使用することによる、広域にわたる平滑、水平な床表層部の形成方法。【選択図】      図１
2005325666.tif 000002
【特許請求の範囲】
【請求項１】
床用下地面に鉄筋の敷設及び生コンクリートの打設を行い、その表面を均して所望の厚みを持つ平滑且つ水平な床表層部を形成する施工法において、
（１）生コンクリート表面の均し作業は、生コンクリートの一部を先ず打設して予備的に均してこの上に、又はこれら打設をすることなしに直接鉄筋の上に床表層部の高さを決める、生コンクリート製塊の「あたり」を所望の間隔で複数個置き、該複数個の「あたり」を介してその上に直角四辺形状枠体を載置し、該枠体の相対するいずれかの一組の辺に渡した均し具で直角四辺形状枠体内に打設された生コンクリートを均す作業を含み、
（２）該直角四辺形状枠体は、相対する二組の高剛性長方形状壁面体から構成された枠体であって、各壁面体を構成する各長尺辺を水平にし、各壁面体を垂直に立てた状態で使用される際の枠体の少なくとも一組の対面する長方形状壁面体の上方側の各長尺水平面は均し具を摺動させる摺動面を構成し、該長方形状壁面体の下方側の長尺辺から外方側に水平に延びて直角四辺形状枠体の鍔状リブを形成する閉環状の平板片、又は相対する少なくとも一組の各長方形状壁面体の下方側の長尺辺から外方に水平に延びて当該長方形状壁面体のリブを形成する平板片を有し、
（３）均し具は、摺動棒とその中央部において摺動棒に沿って複数枚が互いに間隙を持って平行に垂れ下がる構造で摺動棒に一体的に取り付けられ、一対の摺動面間距離を越えない長さと直角四辺形状枠体の高さと同寸法の幅を有する平板群とから構成されてなり、
（４）生コンクリート製「あたり」の上に直角四辺形状枠体をその平板片を当接させて載置し、「あたり」間を埋める生コンクリートを打設し、摺動面に沿って均し具の摺動棒を摺動させ、平板群で生コンクリートを均す工程を含む施工法である、生コンクリート使用床表層部の施工法。
【請求項２】
床用下地面に鉄筋の敷設及び生コンクリートの打設を行い、その表面を均して所望の厚みを持つ平滑且つ水平な床表層部を形成する施工法において、
（１）生コンクリート表面の均し作業は、水平且つ同一高さに保持された２つの摺動面上に沿って均し具を生コンクリートに接触させながら摺動させる作業を含み、
（２）２つの摺動面は、対面する二組の高剛性長方形状壁面体の各長尺辺を水平にして構成された直角四辺形状枠体における少なくとも一組の対面する長方形状壁面体の上方側の各長尺水平面で構成され、
（３）均し具を摺動させる２つの摺動面の保持は、直角四辺形状枠体を構成する各長方形状壁面体の下方側の長尺辺から外方側に水平に延びて直角四辺形状枠体の鍔状リブを形成する閉環状の平板片、又は各長方形状壁面体のうち少なくとも支柱による保持が必要な長方形状壁面体の下方側の長尺辺から外方に水平に延びて当該長方形状壁面体のリブを形成する平板片の把持を含む、床用下地面に直立させた支柱による保持であり、
（４）支柱による水平且つ同一高さの保持は、支柱に螺合され、所望の高さに位置決めされた上及び下側ナットで挟持されてなる板状補助具による保持であり、
（５）板状補助具は、上下両外面に直交してなる支柱挿入用貫通孔が形成されてなる部分と、上下両外面に平行に且つ上下に壁面を残して端縁に開口して前記平板片を挿入できる深さの溝が形成されてなる部分とを有する平面板状体であり、該平面板状体の溝を形成する一方の壁面には挿入される平板片を押圧固定するネジが螺入されてなり、
（６）支柱の直立位置は、保持の必要な平板片の外側に沿い、支柱と鉄筋との接触により支柱の直立が邪魔されることのない２以上の位置であり、
（７）支柱の直立は、各位置決めされた支柱を直角四辺形状枠体に、板状補助具及び平板片を介して連結固定して得られる直立であり、
（８）均し具は、摺動棒と、その中央部において摺動棒に沿って複数枚が互いに間隙を持って平行に垂れ下がり、摺動棒に一体的に取り付けられ、摺動面間距離を越えない長さと直角四辺形状枠体の高さと同寸法の幅を有する平板群とから構成されてなり、
（９）均し具による施工法は、摺動面に沿って均し具の摺動棒を摺動させ、平板群で生コンクリートを均す工程を含む施工法である、
ことを特徴とする生コンクリート使用床表層部の施工法。
【請求項３】
生コンクリートが水／セメント比の低い高強度又は超高強度コンクリート用のものである請求項２記載の生コンクリート使用床表層部の施工法。
【請求項４】
生コンクリート表面の均し作業が、生コンクリート表面に敷いた耐折曲げ変形性の高いネットを介して行われる請求項２又は３記載の生コンクリート使用床表層部の施工法。
【請求項５】
生コンクリート表面の均し作業が、摺動面に沿って均し具を摺動させる作業に先立ち、バイブレーション機能を付与した均し具を打設された生コンクリートの盛り上がり部に当て、生コンクリートにバイブレーションを与える請求項２ないし４のいずれかに記載の生コンクリート使用床表層部の施工法。
【請求項６】
高剛性長方形状壁面体が鉄鋼又はアルミニウム合金製である請求項２ないし５のいずれかに記載の生コンクリート使用床表層部の施工法。
【請求項７】
支柱が挿入貫通されてなる板状補助具の上及び下側ナットによる挟持が、支柱に螺合された下側ナットの上面に中心軸が該下側ナットと同一であり、中心軸に沿って支柱が螺入されたナット構造及び板状補助具の厚み以上の長さと板状補助具の支柱挿入貫通孔に挿入できる外径を持つ管状ネジが連接されてなる管状ネジ付き下側ナットの該管状ネジ部分が板状補助具に挿入され、板状補助具が下側ナット部分と管状ネジ部分に螺合された上側ナットの締め付け挟持と、支柱の所望位置まで螺合されてなる管状ネジ付き下側ナットと支柱に螺合された上側ナットによる管状ネジ部分上端からの締め付けによる挟持である請求項２ないし６のいずれかに記載の生コンクリート使用床表層部の施工法。
【請求項８】
支柱の直立作業を、床用下地面に据え置かれた台座中央から上方に垂直に伸びる管状体に支柱の下端を抜き外し可能に挿入して行う請求項２ないし７のいずれかに記載の生コンクリート使用床表層部の施工法。
【発明の詳細な説明】
【技術分野】
【０００１】  本発明は、生コンクリートを打設して床用下地に床表層部を形成する施工法に関する。
更に詳細には、通常の家屋、マンション等の住居用小〜中型ビル、事務所用、スポーツ用等の大型ビル等比較的広い面積を有する建築物の床に通常使用される生コンクリート又は高強度用生コンクリートを打設し、全体として凹凸の少ない、水平な床表層部を形成する施工法に関する。
【背景技術】
【０００２】  従来、床用下地表面に鉄筋入りコンクリート造りの表層部を形成する際に、表層部仕上げ面の部分的な凹凸とか比較的大きな波打ちの発生を可及的に少なくし、全体として平滑且つ水平な床を形成する技術の出現は大きな課題であり、各種の方法が提案されてきた。【０００３】  先ず、現在当業界において使用されている技術の代表例について説明する。
床用下地表面に網目上に結束された鉄筋を敷き、生コンクリートの一部を先ず打設して予備的に均してこの上に、又はこれら打設をすることなしに鉄筋の上に直接生コンクリートの打設高さの目安とする、生コンクリートを球状にした「あたり」と称される塊を所望の間隔で複数個置き、打設生コンクリートの水平位置を規定する「定規ずり」と称される、定規と水準器の組み合わせ器具を該塊間に渡って置き、「あたり」の高さの微調整をし、次に残りの生コンクリートを打設して「あたり」の周辺を埋め、均して全体として所望の高さ、平滑性及び水平性を得る手段が採られてきた。しかし、この方法は「あたり」の高さの微調整後に該載置された定規に合わせて周辺の生コンクリート打設、均し等の作業中に、該定規に均しコテ、作業者等が接触しやすく、その結果該定規の高さが変わるなどの不都合さがあった。【０００４】  更に他の従来法として、鉄筋が敷設された下地表面の所望の複数位置に標尺を立て、レベル計等の測量器を使用して打設コンクリート表面位置を決め、水糸を張ってこれを打設基準面の目安とし、平滑化、水平化の均し作業を繰り返す方法があるが、この方法では水糸の高さに合致するように観察しつつ均しても、肉眼による観察に基づく又は感に頼った均し作業であり、全域、特に水糸から離れた領域をも含めて生コンクリート打設高さ、水平度を水糸の位置に合致させることは非常に難しく、生コンクリートの打設、均し後の平滑化、水平化を達成することは満足の行くものではなかった。【０００５】  後者の従来法の問題点を解決する手段として、支柱を用いて所望の位置及び高さに２本のレールを設置し、このレールに沿って均し具（板体が多い）を摺動させ、必要な場合はバイブレーターを装着させて行う水平化技術も開示されている。
例えば、代表的なものとして
【特許文献１】  特開２００１−１５９２４０号公報
【特許文献２】  特開２００１−５９３４３号公報
等を挙げることができるが、通常は生コンクリートが打設される下地上に網目状に組まれた鉄筋が敷設されるので、この鉄筋に邪魔され、レール支持用支柱を所望間隔で所望位置に設置することは困難であるにも係わらず、これらの設置が必ずできることを前提にして開示された技術思想であり、実用的ではない。
更に詳述すれば、敷設された鉄筋に接触又は邪魔されることなしに、レールを支持固定する支柱を所望間隔で、且つ所望位置に設置することはほとんど不可能である。鉄筋との接触を避けようとしても、レール固定のために直線上に並ぶ複数の支柱のいずれかは通常、鉄筋との接触を避けることが困難であることが多いからである。【０００６】  一方、当該業界では生コンクリートを打設して均し、固化後に得られる面全体を観察した場合の平滑度及び水平度の目標値を設定し、技術の向上を図ろうと言う意図から、上記平滑度及び水平度に係る品質測定方法の規定を作成し、該測定方法で測定した場合の品質の高低を示すグレードの設定を行う機運があり、下記業界誌にも掲載され、当該業界の一部は既にこの方向に動き始めている。
【非特許文献１】（月刊）建築仕上技術２９ＭＡＲ．２００４．Ｐ．３５〜５１
特にＰ．３７〜４０には長さ２ｍの直定規を使用した平滑度（凹凸）及び水平度（不陸）の測定方法とグレード案が示され、当該業界では一部採用されつつある。
【発明の開示】
【０００７】  本発明は上記従来のような均し具摺動用レールを使用することなく、比較的広い床下地上に凹凸の少ない、水平な床表層部を形成することができる方法を開示するものであり、また当業界で採用される方向にある前記品質測定方法及びグレードを認識し、このような品質が得られるような技術の開発結果に係る開示でもある。
【発明が解決しようとする課題】
【０００８】  従って本発明は、前記業界で採用されつつある打設、均し後の又は固化後のコンクリート表面の平滑度、水平度に関する品質測定法による評価基準をも満足させ得る均し具摺動用レールを、該レールに沿って直線的に並べた支柱で保持する従来の方法ではなく、また「あたり」に載せた定規が該あたりの中に沈んで水平化を妨げることもない新しい手段を用いた床表面層の施工法を提供することを課題とする。
【課題を解決するための手段】
【０００９】  本発明者は上記課題を解決するため鋭意研究を行った結果、有効な解決手段を見出すことに成功した。本発明の要旨は以下に示すとおりである。
第１の発明は、床用下地面に鉄筋の敷設及び生コンクリートの打設を行い、その表面を均して所望の厚みを持つ平滑且つ水平な床表層部を形成する施工法において、
（１）生コンクリート表面の均し作業は、生コンクリートの一部を先ず打設して予備的に均してこの上に、又はこれら打設をすることなしに直接鉄筋の上に床表層部の高さを決める、生コンクリート製塊の「あたり」を所望の間隔で複数個置き、該複数個の「あたり」を介してその上に直角四辺形状枠体を載置し、該枠体の相対するいずれかの一組の辺に渡した均し具で直角四辺形状枠体内に打設された生コンクリートを均す作業を含み、
（２）該直角四辺形状枠体は、相対する二組の高剛性長方形状壁面体から構成された枠体であって、各壁面体を構成する各長尺辺を水平にし、各壁面体を垂直に立てた状態で使用される際の枠体の少なくとも一組の対面する長方形状壁面体の上方側の各長尺水平面は均し具を摺動させる摺動面を構成し、該長方形状壁面体の下方側の長尺辺から外方側に水平に延びて直角四辺形状枠体の鍔状リブを形成する閉環状の平板片、又は相対する少なくとも一組の各長方形状壁面体の下方側の長尺辺から外方に水平に延びて当該長方形状壁面体のリブを形成する平板片を有し、
（３）均し具は、摺動棒とその中央部において摺動棒に沿って複数枚が互いに間隙を持って平行に垂れ下がる構造で摺動棒に一体的に取り付けられ、１対の摺動面間距離を越えない長さと直角四辺形状枠体の高さと同寸法の幅を有する平板群とから構成されてなり、
（４）生コンクーリト製「あたり」の上に直角四辺形状枠体をその平板片を当接させて載置し、「あたり」間を埋める生コンクリートを打設し、摺動面に沿って均し具の摺動棒を摺動させ、平板群で生コンクリートを均す工程を含む施工法である、生コンクリート使用床表層部の施工法に関する。
第２の発明は、床用下地面に鉄筋の敷設及び生コンクリートの打設を行い、その表面を均して所望の厚みを持つ平滑且つ水平な床表層部を形成する施工法において、
（１）生コンクリート表面の均し作業は、水平且つ同一高さに保持された２つの摺動面上に沿って均し具を生コンクリートに接触させながら摺動させる作業を含み、
（２）２つの摺動面は、対面する二組の高剛性長方形状壁面体の各長尺辺を水平にして構成された直角四辺形状枠体における少なくとも一組の対面する長方形状壁面体の上方側の各長尺水平面で構成され、
（３）均し具を摺動させる２つの摺動面の保持は、直角四辺形状枠体を構成する各長方形状壁面体の下方側の長尺辺から外方側に水平に延びて直角四辺形状枠体の鍔状リブを形成する閉環状の平板片、又は各長方形状壁面体のうち少なくとも支柱による保持が必要な長方形状壁面体の下方側の長尺辺から外方に水平に延びて当該長方形状壁面体のリブを形成する平板片の把持を含む、床用下地面に直立させた支柱による保持であり、
（４）支柱による水平且つ同一高さの保持は、支柱に螺合され、所望の高さに位置決めされた上及び下側ナットで挟持されてなる板状補助具による保持であり、
（５）板状補助具は、上下両外面に直交してなる支柱挿入用貫通孔が形成されてなる部分と、上下両外面に平行に且つ上下に壁面を残して端縁に開口して前記平板片を挿入できる深さの溝が形成されてなる部分とを有する平面板状体であり、該平面板状体の溝を形成する一方の壁面には挿入される平面片を押圧固定するネジが螺入されてなり、
（６）支柱の直立位置は、保持の必要な平板片の外側に沿い、支柱と鉄筋との接触により支柱の直立が邪魔されることのない２以上の位置であり、
（７）支柱の直立は、各位置決めされた支柱を直角四辺形状枠体に、板状補助具及び平板片を介して連結固定して得られる直立であり、
（８）均し具は、摺動棒と、その中央部において摺動棒に沿って複数枚が互いに間隙を持って平行に垂れ下がり、摺動棒に一体的に取り付けられ、摺動面間距離を越えない長さと直角四辺形状枠体の高さと同寸法の幅を有する平板群とから構成されてなり、
（９）均し具による施工法は、摺動面に沿って均し具の摺動棒を摺動させ、平板群で生コンクリートを均す工程を含む施工法である、
生コンクリート使用床表層部の施工法に関する。
第３の発明は、生コンクリートが水／セメント比の低い高強度又は超高強度コンクリート用のものである上記第２の発明に記載の生コンクリート使用床表層部の施工法に関する。
第４の発明は、生コンクリート表面の均し作業が、生コンクリート表面に敷いた耐折曲げ変形性の高いネットを介して行われる上記第２又は第３の発明に記載の生コンクリート使用床表層部の施工法に関する。
第５の発明は、生コンクリート表面の均し作業が、摺動面に沿って均し具を摺動させる作業に先立ち、バイブレーション機能を付与した均し具を打設された生コンクリートの盛り上がり部に当て、生コンクリートにバイブレーションを与える上記第２ないし第４の発明のいずれかに記載の生コンクリート使用床表層部の施工法に関する。
第６の発明は、高剛性長方形状壁面体が鉄鋼又はアルミニウム合金製である上記第２ないし第５の発明のいずれかに記載の生コンクリート使用床表層部の施工法に関する。
第７の発明は、支柱が挿入貫通されてなる板状補助具の上及び下側ナットによる挟持が、支柱に螺合された下側ナットの上面に中心軸が該下側ナットと同一であり、中心軸に沿って支柱が螺入されたナット構造及び板状補助具の厚み以上の長さと板状補助具の支柱挿入貫通孔に挿入できる外径を持つ管状ネジが連接されてなる管状ネジ付き下側ナットの該管状ネジ部分が板状補助具に挿入され、板状補助具が下側ナット部分と管状ネジ部分に螺合された上側ナットの締め付け挟持と、支柱の所望位置まで螺合されてなる管状ネジ付き下側ナットと支柱に螺合された上側ナットにより管状ネジ部分上端からの締め付けによる挟持である上記第２ないし第６の発明のいずれかに記載の生コンクリート使用床表層部の施工法に関する。
第８の発明は、支柱の直立作業を、床用下地面に据え置かれた台座中央から上方に垂直に伸びる管状体に支柱の下端を抜き外し可能に挿入して行う上記第２ないし第７の発明のいずれかに記載の生コンクリート使用床表層部の施工法に関する。
【発明の効果】
【００１０】  本発明に係る方法によれば、上記構成をとることにより生コンクリート打設、均しをしようとする場所の面積がかなり広くても、また打設及び均し面が比較的狭い部分的な均し作業の繰り返しであっても、「あたり」を使用する施工法の場合は枠体を構成する長方形状壁面体の薄厚面ではなくて平板片という広い面が「あたり」に当接するので該壁面体、即ち枠体が「あたり」に食い込んで沈み、水平性を阻害するような現象はほとんど起こらないという効果がある。又直角四辺形状枠体の全周又は一部に設けられた平板片を支柱で保持する施工法の場合は、均し具用摺動面を広く同一面上に、しかも水平に維持し続けることができるので、結果として処理面全体にわたり平滑で水平な表層部を形成することができるという効果が伴う。
更に、上記直角四辺形状枠体を平行移動させつつ打設、均し作業を繰り返す際に、該作業の終わった場所と次に行おうとする場所を一部重ねて、即ち、前者を後者の枠体内に一部含めて行うことにより均し面の凹凸はほとんど無くなり、平滑化が達成できるという効果を得ることができる。
【発明を実施するための最良の形態】
【００１１】  以下、図面を用いて本発明を実施するための最良の形態を説明する。
図１に示した組み立て装置１は、本発明に係る生コンクリート使用床表層部の施工法の実施に好適な装置の一例の斜視図であり、一部切り欠き図で示されている。
直角四辺形状枠体２は相対する二組の鋼材製長方形状壁面体２１、２１（左辺と右辺）及び２２、２２（奥側と手前側）からなり、これら各長方形状壁面体の下方側長尺辺２１ａ、２１ａ、２２ａ、２２ａから外方側に水平に延びて直角四辺形状枠体の鍔状リブを形成する閉環状の平板片２Ａが形成されている場合を示している。
この場合は平板片による直角四辺形状枠体全体の補強性高い特長がある。【００１２】  更に他の態様として各長方形状壁面体のうち、少なくとも支柱による保持が必要な長方形状壁面体の下方側の長尺辺から外方側に水平に延びて当該長方形状壁面体のリブを形成する平板片、例えば２１１、２１１なる平板片とか２２１、２２１なる平板片の他、２１１，２１１、２２１、２２１なる平板片のように各壁面体毎に個別に形成されたものも、各辺の補強を個別に考慮でき、また均し具を直交した２方向のどの方向にも行うことができ、好ましい態様である。【００１３】  一方、同壁面体の上辺２１ｂ、２１ｂ及び２２ｂ、２２ｂはそれぞれ２つの摺動面２１Ｂ、２１Ｂ及び２２Ｂ、２２Ｂを構成し、この面上を摺動する均し具３は両摺動面に跨る摺動棒３１とその両端を除く中央部にあって壁面体２１ｂ，２１ｂ間、又は２２ｂ、２２ｂ間、即ち摺動面間距離を超えない長さ（図面では水平方向の枠間距離）と壁面体２１ｂ又は２２ｂの高さと同じ寸法の幅（図面では垂直方向）を有する複数枚の平行な平板３２ａ、３２ｂ、３２ｃからなる平板群３２が摺動棒から垂れ下がる構造で一体化して構成されている。【００１４】  この均し具は、直角四辺形状枠体２内に生コンクリートが打設され、山状に盛り上がった状態にある場合、例えば流動性の低い高強度コンクリートの場合は、バイブレーターを連結して振動機能を持たせ、摺動面から離れた上方に吊り上げた状態で該山状部分に繰り返し接触させ、平板群の間隙にも生コンクリートが入り込む程度までめり込ませ、生コンクリートの脱気、締めつけを行いつつ、次第に位置を下げて摺動面上に乗せることが好ましい。【００１５】  本発明に係る施工法は、直角四辺形状枠体２を水平に、順次移動させつつ該枠体２で囲まれた範囲のみを均して行く方法をとるので、生コンクリートの均し高さは該枠体の下辺２１ａ、２１ａの位置までであり、均し具３の幅は前記のような幅（図面では上下方向の高さ）が採られる。
なお、均し具３の摺動力は人力、動力のいずれでもよいが、前記高強度の生コンクリートのような低流動性の材料を使用する場合は通常は動力が好ましい。【００１６】  また、均し具３による均し作業において、生コンクリート表面に耐折曲げ変形性の高いネットを敷き、該ネットを介して均すと均し作業に係る労力も少なく、しかもコンクリート表面層の品質の向上を図りやすい効果がある。また、ネットは使用後、剥ぎ取らずに表層部内に残すこともでき、表層部の補強効果も期待できる。
上記ネット使用の場合の作業性向上の理由としては、均し具が生コンクリートに食い込めないこと、ネットの耐折曲げ変形性が高いので均し具が滑り易く、しごき易いこと、ネットの目を通してコンクリートのアマが浮き出るので均し具のすべりがよくなることなどが考えられる。
ネットの材質としては、上記折り曲げ変形に対して耐性があればよいので、この物性を満たすものであれば特に限定されるものではないが、コンクリートの化学的特性に対する耐性も必要であり、ポリ塩化ビニール系樹脂、ポリエチレンテレフタレート等のポリエステル系樹脂、高密度ポリエチレン系樹脂、耐アルカリ性ガラス、ステンレス系金属、カーボン繊維等が好適に使用できる。【００１７】  本発明に係る床表層部の施工法は上記のように直角四辺形状枠体２を移動させつつ広域にわたって水平化しようとするものであるので直角四辺形枠体自体を絶えず水平移動させ、水平に固定することが重要であり、該枠体２の支持方法は非常に重要な技術的要素である。
この支持方法として支柱を床面に単に長方形状壁面体に平行に、即ち直線上に並べて立てようとしても、床用下地面に敷設された鉄筋、特に通常使用される網目状に組まれた鉄筋に邪魔されて支持に好適な位置に直立させることは一般に困難又は不可能である。【００１８】  本発明に係る支柱５による支持はこの問題を解決するものであり、具体的には、支柱５を前記枠体２に可及的近い位置に且つ枠体２支持に必要な数だけ直立させ、該支柱に高さ位置可変に、且つ枠体２に向かって延びる板状補助具４、４・・が取り付けられ、枠体２の相対する平板片２１１、２１１又は２２１，２２１、更に要すれば２１１，２１１，２２１、２２１の適当な位置において把持させようとするものである。
ここに板状補助具４は、板状体４１に上下両外面に直交してなる支柱挿入用貫通孔４１１（図１では一個の板状補助具のみについてその上面に、後述のナットを一部切り欠き図で示して該貫通孔４１１の上端を示してある）がそれぞれ形成されてなる部分４１２と、上下両外面に平行に且つ上側壁面４１３ａ、下側壁面４１３ｂを残して端縁４１３ｄ（図６に明示）に開口して前記リブを形成する平板片２１１を挿入できる深さの溝４１３ｃが形成されてなる部分とを有する。なお、平板片を先ず載置し、次に挿入するという挿入作業上、上側壁面が下側壁面よりも短い方が便利である。【００１９】  上記板状補助具４、４・・の支柱挿入用貫通孔４１１、・・には支柱５，５・・が螺入され、所望の高さにおいて板状体４１、４１・・の両面側からナット４１４、４１４・・（下面側のナットは見えない）で締め付けられ、これらの支柱は摺動面２１Ｂ，２１Ｂ、２２Ｂ、２２Ｂに可及的近く、又可及的平行になるように板状補助具４，４・・に設けた溝４１３ｃ、４１３ｃ・・に直角四辺形状枠体２の平板片２１１、２１１又は更に２２１、２２１を、それぞれ好適な深さまで挿入し、板状補助具の上側壁面４１３ａ、４１３ａ・・に設けた固定用ネジ４１５、４１５・・を深く螺入し、挿入されている平板片２１１，２２１・・を下側の壁面４１３ｂ、４１３ｂ・・に押し付けることにより、支柱５，５・・に取り付けられた板状補助具４，４・・と直角四辺形状枠体２を連結固定することができる。しかも支柱５，５・・は互いに必ずしも直線上にはないにも係わらず、該枠体２の方向を一定に保つことができ、単に平行移動するだけで打設全域を凹凸なく、全体を水平にすることができる。【００２０】  図２は、図１のＸ−Ｘ切断断面図の一部切り欠き図であり、図１と同じ符号が付されている。図１では示すことができなかった板状補助具４，４・・の下側壁面４１３ｂ、４１３ｂ・・の下面に接するナット４１４，４１４・・も示されている。
均し具３の断面図が示され、平板３２ａ、３２ｂ、３２ｃの３枚からなる平板群３２が示されているが、枚数は後述の機能から理解されるように３枚に限定されるものではないことは言うまでもない。この均し具３の構造、機能等の詳細な説明は図４について行う。【００２１】  図３は、図１のＹ−Ｙ方向側面図の一部切り欠き図であり、図１と同じ符号が付されている。
直角四辺形状枠体２の平板片２１１，２１１は支柱５，５にナット４１４，４１４で上下から締め付けられた板状補助具４の上、下壁面４１３ａ、４１３ｂ間の溝４１３ｃに挿入され、ネジ４１５で適宜固定されている。この場合、支柱を枠体２から離れた位置に設置せざるを得ない場合は、上記平板片の挿入長さを単に短くするだけで直角四辺形状枠体２を一定の位置に、また移動する場合はその移動方向を一定に維持することができ、枠体２を平行移動するだけで広域の平滑化、水平化が可能となる。【００２２】  図４は、図２に示した均し具３の断面図に相当する側面図であり、図１〜図３の符号と同じ符号が付されている。
本発明に係る均し具３の平板群３２に係る平板３２ａ等は、均し具の摺動棒３１を摺動面２１Ｂ、２１Ｂに接触させて摺動させる以前の処理操作として、立てた状態の平板３２ａ等を打設直後の山状に盛られた生コンクリートに繰り返し、衝撃的に押し込むことにより主として練り、均し、脱気し易くする効果を発揮するものであるが、各平板３２ａ、３２ｂ、３２ｃの厚みを大にすると生コンクリートへの食い込みが悪くなり、前記効果が発揮され難くなる。また上記厚みの小な平板を間隔を広くあけてなる平板群３２の場合は、生コンクリート打設単位面積当たりの前記効果はよくない。逆に狭い平板間隙に生コンクリート、またはその成分を侵入させ得るようにした平板群３２を用いることにより生コンクリートに剪断力をも与えて前記効果が一層向上する。ここに狭い間隙とは、生コンクリート自体、生コンクリート中の微粒子成分、アマ等の液体成分等が侵入できる程度の間隙を指す。【００２３】  図５は、本発明において使用される代表的な均し具３の正面図であり、図１と同じ符号が付されている。摺動棒３１の中央部分には平板群３２が摺動棒から垂れ下がるような形態で一体的に取り付けられている。好ましい寸法は前述のとうりである。【００２４】  図６は、板状補助具４に支柱５を螺入して固定する場合の他の態様を示す一部切り欠き側面図であり、図１と同じ符号が付されている。
図１に示したように支柱５を挿入した板状補助具４を単に上及び下側ナットで挟持して固定する場合、支柱５は直角四辺形状枠体２を把持、固定し、均し具の荷重も加えた曲げ応力を受けるが、板状補助具の固定されている短い範囲に応力が集中して支柱としては好ましくない。この対策としては、支柱が受ける曲げ応力を分散させることである。【００２５】  図６に示す板状補助具、支柱及び上下側ナットの新しい組み合わせは上記課題を解決する手段を提供するものであり、以下詳説する。
支柱５に螺合された下側ナット４１４の上面には中心軸が該ナット４１４と同一であり、中心軸に沿って支柱が螺入されたナット構造を持ち、また板状補助具４の厚み以上の長さと板状補助具４の支柱挿入貫通孔４１１に挿入できる外径を持つ管状ネジ４１４ｃが連接されてなる管状ネジ付き下側ナットの該管状ネジ部分が板状補助具４に挿入され、板状補助具４が下側ナット部分と管状ネジ部分に螺合された上側ナット４１４ａの締め付け挟持と、支柱５の所望位置まで螺合されてなる管状ネジ付き下側ナットと支柱に螺合された上側ナット４１４ｂとによる管状ネジ部分上端からの締め付けにより挟持されることになり、板状補助具４等の荷重で受ける曲げ応力も支柱に広く分散され、支柱５が湾曲等変形するおそれはかなり改善される。【００２６】  図７は、支柱５を立設した状態で板状補助具４を取り付ける作業等を行う場合に便利に使用し得る一例としての仮立設具６に支柱５を挿入して立てた状態の断面図を示す。
仮立設具６は、床用下地に接する面には所望の広さの平板台に垂直に支柱の螺入又は緊密な挿入が可能で、しかも分離も簡単な管状体を立設したものである。
この仮立設具６は、平板台の大きさによっては前記鉄筋を敷設した後での設置は困難な場合もあり、大きい場合は該敷設前に設置しておく必要がある。また、生コンクリート打設後に支柱５を取り除く際にはコンクリート内に残した状態になることは止むを得ない。【００２７】  図８は、仮立設具の他の例を示すもので、３本足の台座の上に前記の場合同様の管状体を立設してなる仮立設具７に支柱を挿入して立てた状態の一部切り欠き図を示す。この場合は３本足であるので床用下地に少々の不陸があっても使用し得る点で仮立設具６に優る。
【産業上の利用可能性】
【００２８】  本発明に係る技術は、広面積の床下地に凹凸が非常に少ない平滑な、しかも全域にわたり一様に水平な新規な床表層部を造る施工法を提供するものであり、新築の場合は勿論、不陸の多いリフォームに係る床表層部の施工にも好適に使用し得るものである。
【図面の簡単な説明】
【００２９】
【図１】生コンクリート使用床表層部施工用装置の斜視図の一部切り欠き図。
【図２】図１のＸ−Ｘ切断断面図の一部切り欠き図。
【図３】図１のＹ−Ｙ方向側面図の一部切り欠き図。
【図４】図２の均し具の断面図に相当する側面図。
【図５】均し具の正面図
【図６】板状補助具に支柱を螺入、固定した状態の一部切り欠き側面図。
【図７】支柱の仮立設具に支柱を立設した状態の一部切り欠き断面図。
【図８】支柱の仮立設具に支柱を立設した状態の一部切り欠き断面図。
【符号の説明】
【００３０】  １・・・・・・・・・・・床表層部施工用装置
２・・・・・・・・・・・直角四辺形状枠体
２１、２２・・・・・・・長方形状壁面体
２１ａ、２２ａ・・・・・壁面体の下方側の長尺辺
２２ｂ、２２ｂ・・・・・壁面体の上方側の長尺辺
２１Ｂ、２２Ｂ・・・・・摺動面
２Ａ・・・・・・・・・・閉環状平板片
２１１、２２１・・・・・平板片
３・・・・・・・・・・・均し具
３１・・・・・・・・・・摺動棒
３２・・・・・・・・・・平板群
３２ａ、３２ｂ、３２ｃ・平板
４・・・・・・・・・・・板状補助具
４１・・・・・・・・・・板状体
４１１・・・・・・・・・支柱挿入用貫通孔
４１２・・・・・・・・・板状体中、支柱挿入用貫通孔の存在する部分
４１３・・・・・・・・・板状体中、上下側壁面の存在する部分
４１３ａ・・・・・・・・上側壁面
４１３ｂ・・・・・・・・下側壁面
４１３ｃ・・・・・・・・溝
４１３ｄ・・・・・・・・板状体の端縁
４１４・・・・・・・・・下側ナット
４１４ａ・・・・・・・・上側ナット
４１４ｂ・・・・・・・・上側ナット
４１４ｃ・・・・・・・・管状ネジ
４１５・・・・・・・・・ネジ
５・・・・・・・・・・・支柱
６、７・・・・・・・・・仮立設具
【図１】
2005325666.tif 000003
【図２】
2005325666.tif 000004
【図３】
2005325666.tif 000005
【図４】
2005325666.tif 000006
【図５】
2005325666.tif 000007
【図６】
2005325666.tif 000008
【図７】
2005325666.tif 000009
【図８】
2005325666.tif 000010